(57)【要約】【課題】セルラーＯＦＤＭ通信ネットワークＣＮにおいて干渉を最小化するための方法を提供すること。【解決手段】本方法において、移動局Ｔ１〜Ｔ４は無線チャネル品質ＲＣＱＴｖｅｃに従ってグループに分割され、少なくとも１つの別のグループのものよりも低い無線チャネル品質ＲＣＱＴｖｅｃを有する移動局Ｔ１、Ｔ２の第１グループに属する移動局Ｔ１、Ｔ２の干渉レベルＮＬＴｖｅｃは共通干渉レベルＮＬＧｖｅｃに組み合わされ、ＯＦＤＭ通信ネットワークＣＮの副搬送波ＳＣは移動局Ｔ１、Ｔ２の第１グループの共通干渉レベルＮＬＧｖｅｃに従う数量に分割され、少なくとも１つの別のグループのものよりも低い共通干渉レベルＮＬＧｖｅｃを有する第１の数量に属する副搬送波ＳＣは、第１グループに属する移動局Ｔ１、Ｔ２、ならびに基地局ＢＳ１およびこれに対する移動局Ｔ１〜Ｔ４への送信のための好ましい副搬送波として選択される。【選択図】図３
2007195175.tif 000002
【特許請求の範囲】
【請求項１】
セル（Ｃ１）に割り当てられた移動局（Ｔ１からＴ４）が、個々の副搬送波に応じて無線チャネル品質（ＲＣＱＴｖｅｃ）と干渉レベル（ＮＬＴｖｅｃ）とを測定し、これらを前記セル（Ｃ１）の基地局（ＢＳ１）に送信し、
前記無線チャネル品質（ＲＣＱＴｖｅｃ）が、各移動局（Ｔ１からＴ４）について無線品質パラメータ（ＲＣＱＴ）に組み合わされ、
前記移動局（Ｔ１からＴ４）が、前記無線品質パラメータ（ＲＣＱＴ）に従ってグループに分割され、
少なくとも１つの別のグループのものよりも低い無線品質パラメータ（ＲＣＱＴ）を有する移動局（Ｔ１、Ｔ２）の第１グループに属する移動局（Ｔ１、Ｔ２）の前記干渉レベル（ＮＬＴｖｅｃ）が、共通干渉レベル（ＮＬＧｖｅｃ）に組み合わされ、
ＯＦＤＭ通信ネットワーク（ＣＮ）の副搬送波（ＳＣ）が、移動局（Ｔ１、Ｔ２）の前記第１グループの前記共通干渉レベル（ＮＬＣｖｅｃ）に従う数量に分割され、
少なくとも１つの別の数量のものよりも低い共通干渉レベル（ＮＬＧｖｅｃ）を有する第１数量に属する副搬送波（ＳＣ）が、前記第１グループに属する前記移動局（Ｔ１、Ｔ２）への送信のための好ましい副搬送波として選択されることを特徴とする、セルラーＯＦＤＭ通信ネットワーク（ＣＮ）において干渉を最小化するための方法。
【請求項２】
前記第１数量の副搬送波の前記共通干渉レベル（ＮＬＧｖｅｃ）よりも高い共通干渉レベル（ＮＬＧｖｅｃ）を有する第２数量に属する副搬送波（ＳＣ）が、低減された送信電力（Ｐ）で使用されるための好ましい副搬送波（ＰＳＣ）として選択されることを特徴とする、請求項１に記載の方法。
【請求項３】
前記第１グループのものよりも高い無線品質パラメータ（ＲＣＱＴ）を有する移動局（Ｔ３、Ｔ４）の第２グループに属する移動局（Ｔ３、Ｔ４）の前記干渉レベル（ＮＬＴｖｅｃ）が、移動局（Ｔ３、Ｔ４）の前記第２グループの共通干渉レベル（ＮＬＧｖｅｃ）に組み合わされ、
前記ＯＦＤＭ通信ネットワーク（ＣＮ）の前記副搬送波（ＳＣ）が、移動局（Ｔ３、Ｔ４）の前記第２グループの前記共通干渉レベル（ＮＬＧｖｅｃ）に従う数量に分割され、
少なくとも１つの別の数量の前記共通干渉レベル（ＮＬＧｖｅｃ）よりも低い、移動局（Ｔ３、Ｔ４）の前記第２グループの共通干渉レベル（ＮＬＧｖｅｃ）を有する数量に属する副搬送波（ＳＣ）が、少なくとも１つの別の数量の副搬送波（ＳＣ）の前記共通干渉レベル（ＮＬＧｖｅｃ）よりも高い、移動局（Ｔ１、Ｔ２）の前記第１グループの共通干渉レベル（ＮＬＧｖｅｃ）を有する数量に属する副搬送波（ＳＣ）と比較され、
少なくとも１つの別の数量の副搬送波の前記共通干渉レベル（ＮＬＧｖｅｃ）よりも高い、移動局（Ｔ１、Ｔ２）の前記第１グループの共通干渉レベル（ＮＬＧｖｅｃ）を有する数量にのみ属する副搬送波（ＳＣ）が、低減された送信電力（Ｐ）で使用するための好ましい副搬送波（ＰＳＣ）として選択されることを特徴とする請求項１に記載の方法。
【請求項４】
前記第１グループのものよりも高い無線品質パラメータ（ＲＣＱＴ）を有する移動局（Ｔ３、Ｔ４）の第２グループに属する移動局（Ｔ３、Ｔ４）の前記干渉レベル（ＮＬＴｖｅｃ）が、移動局（Ｔ３、Ｔ４）の前記第２グループの共通干渉レベル（ＮＬＧｖｅｃ）に組み合わされ、
前記ＯＦＤＭ通信ネットワーク（ＣＮ）の前記副搬送波（ＳＣ）が、移動局（Ｔ３、Ｔ４）の前記第２グループの前記共通干渉レベル（ＮＬＧｖｅｃ）に従う数量に分割され、
少なくとも１つの別の数量の前記共通干渉レベル（ＮＬＧｖｅｃ）よりも高い、移動局（Ｔ３、Ｔ４）の前記第２グループの共通干渉レベル（ＮＬＧｖｅｃ）を有する数量に属する副搬送波（ＳＣ）が、少なくとも１つの別の数量の副搬送波（ＳＣ）の前記共通干渉レベル（ＮＬＧｖｅｃ）よりも高い、移動局（Ｔ１、Ｔ２）の前記第１グループの共通干渉レベル（ＮＬＧｖｅｃ）を有する数量に属する副搬送波（ＳＣ）と比較され、
両方の数量に属する副搬送波（ＳＣ）が、低減された送信電力で使用するための好ましい副搬送波（ＰＳＣ）として選択されることを特徴とする請求項１に記載の方法。
【請求項５】
低減された送信電力で使用するための前記副搬送波（ＳＣ）が、第１数量に属さない副搬送波から無作為に選択されることを特徴とする請求項１に記載の方法。
【請求項６】
最も高い共通干渉レベル（ＮＬＧｖｅｃ）を有する副搬送波が、低減された送信電力で使用するために、前記好ましい副搬送波（ＰＳＣ）から選択されることを特徴とする請求項２、３または４に記載の方法。
【請求項７】
最も低い共通無線チャネル品質（ＲＣＱＧｖｅｃ）を有する副搬送波が、低減された送信電力で使用するために、前記好ましい副搬送波（ＰＳＣ）から選択されることを特徴とする請求項２、３または４に記載の方法。
【請求項８】
無線チャネル品質（ＲＣＱＴｖｅｃ）を移動局（Ｔ１からＴ４）について無線品質パラメータ（ＲＣＱＴ）に組み合わせるための手段と、
前記移動局（Ｔ１からＴ４）を前記無線品質パラメータ（ＲＣＱＴ）に従ってグループに分割するための手段と、
少なくとも１つの別のグループのものよりも低い無線品質パラメータ（ＲＣＱＴ）を有する移動局（Ｔ１、Ｔ２）の第１グループに属する移動局（Ｔ１、Ｔ２）の干渉レベル（ＮＬＴｖｅｃ）を、共通干渉レベル（ＮＬＧｖｅｃ）に組み合わせるための手段と、
ＯＦＤＭ通信ネットワーク（ＣＮ）の副搬送波（ＳＣ）を、移動局（Ｔ１、Ｔ２）の前記第１グループの前記共通干渉レベル（ＮＬＧｖｅｃ）に従う数量に分割するための手段と、
少なくとも１つの別の数量のものより低い共通干渉レベル（ＮＬＧｖｅｃ）を有する第１数量に属する副搬送波（ＳＣ）を、前記第１グループに属する前記移動局（Ｔ１、Ｔ２）への送信のための好ましい副搬送波（ＰＳＣ）として選択するための手段とを備えることを特徴とする、セルラーＯＦＤＭ通信ネットワーク（ＣＮ）における基地局（ＢＳ１からＢＳ８）。
【請求項９】
無線チャネル品質（ＲＣＱＴｖｅｃ）と干渉レベル（ＮＬＴｖｅｃ）とを測定し、割り当てられたセル（Ｃ１からＣ８）の基地局（ＢＳ１からＢＳ８）にこれらを送信するための手段を備えることを特徴とする、セルラーＯＦＤＭ通信ネットワーク（ＣＮ）における移動局（Ｔ１からＴ４）。
【発明の詳細な説明】
【技術分野】
【０００１】
本発明は請求項１のプリアンブルによる通信システム、請求項８のプリアンブルによる基地局、および請求項９のプリアンブルによる移動局において干渉を最小化するための方法に関する。
【背景技術】
【０００２】
ＯＦＤＭエアインタフェース（ＯＦＤＭ＝直交周波数分割多重）は、例えば３ＧＰＰ無線アクセスネットワーク（３ＧＰＰ＝第３世代パートナーシッププロジェクト）におけるエアインタフェースの今後の発展のため、ＩＥＥＥ８０２．１１ａ規格によるワイヤレスローカルエリアネットワーク（ＷＬＡＮ）などのワイヤレスローカルネットワークのため、または第４世代のエアインタフェースのために、ますます重要になってきている。
【０００３】
セルラーＯＦＤＭシステムの能力は、例えば適応変調、副搬送波分配または電力制御などの資源分割のための周波数選択アルゴリズムの使用によって高められることが可能である。高干渉が予想されるエリアにおける能力を高めて干渉を低減させるために、干渉調整原理が適用されることが可能である。これは、同一の周波数パターンに属する特定の副搬送波が、セルにおける低減された送信電力のみで使用されるということを意味する。この送信電力の低減は明らかにセルの領域における能力の低下につながるが、隣接するセルにおいては、これらの特定の副搬送波に対する干渉は低減され、これがそこでの能力を高める。低下の程度は干渉する基地局の無線チャネルの状態、および低減された電力で使用される周波数パターンによって決まる。この干渉調整原理は、関与する基地局間の調整を必要とする。干渉低減のためのその他の概念は、例えば周波数ホッピング、または例えばいわゆるコスタスシーケンス（Ｃｏｓｔａｓ  ｓｅｑｕｅｎｃｅ）などの特殊なコード化方法の原理に基づく。
【０００４】
ＯＦＤＭインタフェースのための従来の干渉低減方法は、とりわけセルの周辺領域における能力の低減を伴う。さらに、コスタスシーケンスは干渉の影響を最小化することしかできず、周波数資源の短期間の使用の適応または最適化ができるわけではない。
【発明の開示】
【発明が解決しようとする課題】
【０００５】
本発明は上述の状況に対する改善策を見つけ出し、基地局間の相互作用を最小化すると同時に、すべての移動局の位置選定（ｌｏｃａｔｉｏｎ）に応じてこれらの最適能力を得るために、干渉する基地局間の相互干渉を最小化するという目的に基づく。
【課題を解決するための手段】
【０００６】
この目的は、請求項１の教示によるセルラーＯＦＤＭ通信システム、請求項８の教示による基地局、および請求項９の教示による移動局において干渉を最小化するための方法による本発明によって達成される。
【０００７】
本発明の基本的な概念は、無線チャネルの変化と干渉レベルとの両方が関連する移動局におけるノイズの原因となるという事実に基づく。基地局が個々の副搬送波と個々の移動局におけるノイズとによって決まる無線チャネル品質を知っている場合、基地局はどの副搬送波送信がおそらく最良かを推論することができる。この基準で、全般的な最適化は、セル間およびセル内の干渉の影響を低減させるという目的とともに実行されることが可能である。自己適応の原理に基づく本発明による方法を用いて、適応は、例えば設備稼働率、移動局の分布または無線チャネルの状態によって異なる干渉状況を動的に変えるために実行される。
【０００８】
干渉する基地局および無線チャネル品質についての知識が送信を行う基地局において入手可能であれば、干渉は最小にまで低減されることが可能である。この情報は信号対ノイズ比もしくは信号対干渉比、チャネル転送機能、または干渉信号の強度などの複数の可能な測定値の中に含まれる。
【０００９】
移動局が干渉信号の強度、基地局に対する無線チャネル品質および無線チャネル特性についての情報を送信するとき、基地局は、特定の信号が特定の電力で移動局に送信される場合の干渉および無線チャネル品質に関する状況を、すべての移動局について推定および予測することができる。
【００１０】
また、全帯域が単一のトランスミッタによって完全には占有されることがないことを保証する構造も適用されることが可能である。このために、基地局が副搬送波の特定の部分のための最大送信電力を常に低減し、その結果として、その他の基地局に割り当てられた移動局にこれらの副搬送波上で到達するためにその他の基地局によって使用されることが可能な、副搬送波のスペクトラムにおけるギャップを作り出すことが実施されることができる。この構造は、副搬送波が各々の送信のために個々に選択されることが可能なので、ＯＦＤＭベースのシステムに特に適している。副搬送波のスペクトラムにおけるギャップの周波数変更によって生じる発振を防ぐためのさらなる手段は、簡単に実施されることができる。
【００１１】
本発明のさらなる実施形態は、従属請求項および以下の説明において示される。
【００１２】
本発明は添付の図面を参照して、以下でより詳細に説明される。
【発明を実施するための最良の形態】
【００１３】
図１に示されるセルラー通信ネットワークＣＮは、一例として８つのセルＣ１〜Ｃ８に分割され、一例として８つの基地局ＢＳ１およびＢＳ８（ＢＳ１  ａｎｄ  ＢＳ８）と、４つの移動局Ｔ１〜Ｔ４とを含む。
【００１４】
８つの基地局ＢＳ１〜ＢＳ８の各々は、これの割り当てられたセルＣ１〜Ｃ８を供給するので、割り当てられたセルＣ１〜Ｃ８における移動局がデータを交換することを可能にする。
【００１５】
明快であるために、例えば制御ユニットなどの、通信ネットワークにおけるさらなる要素への基地局ＢＳ１〜ＢＳ８の接続は図１には示されない。
【００１６】
セルＣ１は一例として、より低品質の無線チャネルを有する移動局Ｔ１、Ｔ２を含むエリアＯＡと、より高品質の無線チャネルを有する移動局Ｔ３、Ｔ４のあるエリアＩＡとに分割される。エリアＯＡは通常セルの外側のエリアに一致しており、エリアＩＡはセルの内側のエリアに一致している。
【００１７】
移動局Ｔ１〜Ｔ４と基地局ＢＳ１との間の無線接続は、隣接する基地局ＢＳ２〜ＢＳ８からの干渉によって中断される。これは一例として、セルＣ６、Ｃ７について幅広の矢印によって示される。
【００１８】
基地局ＢＳ１〜ＢＳ８はセルラー通信ネットワークにおける基地局の機能を含み、すなわちこれらは移動局Ｔ１〜Ｔ４に、通信ネットワークＣＮに接続される可能性を提供する。
【００１９】
本発明による基地局ＢＳ１〜ＢＳ８はまた、少なくとも１つの別のグループのものよりも低い無線チャネル品質を有する移動局Ｔ１、Ｔ２の第１グループに属する移動局Ｔ１、Ｔ２の干渉レベルを共通干渉レベルに組み合わせるため、ＯＦＤＭ通信ネットワークＣＮの副搬送波を移動局Ｔ１、Ｔ２の第１グループの共通干渉レベルに従う数量に分割するため、および第１グループに属する移動局Ｔ１、Ｔ２への送信のための好ましい副搬送波として、少なくとも１つの別の数量よりも低い、共通干渉レベルを有する第１数量に属する副搬送波を選択するために、移動局Ｔ１〜Ｔ４を無線チャネル品質に従ってグループに分割するための手段も有する。
【００２０】
移動局Ｔ１〜Ｔ４はセルラー通信ネットワークにおける移動局の機能を含み、すなわち移動局Ｔ１、Ｔ４は、基地局ＢＳ１の手段によって通信ネットワークＣＮと接続されることができる。
【００２１】
本発明による移動局Ｔ１〜Ｔ４はまた、無線チャネル品質と干渉レベルとを測定して、これを移動局Ｔ１〜Ｔ４の割り当てられたセルＣ１の基地局ＢＳ１に送信するための手段も有する。
【００２２】
図２は、一例として本発明による方法の実行を示す。明快であるために、方法は縦の点線によって、詳細に示された３つのプロセス工程に大まかに分割される。第１プロセス工程は移動局Ｔ１〜Ｔ４まで及ぶ。移動端局Ｔ１〜Ｔ４の各々は、個々の副搬送波ＳＣに応じて、無線チャネル品質ＲＣＱＴｖｅｃと干渉ＮＬＴｖｅｃとを測定する。
【００２３】
次いで、フィードバックチャネルＦＣが使用される第２プロセス工程において、矢印によって表されているが、移動局Ｔ１〜Ｔ４は、無線チャネル品質ＲＣＱＴｖｅｃを例えばチャネル転送機能ＣＴＦの形態で、フィードバックチャネルＦＣを介して第３プロセス工程が関連する基地局ＢＳ１に送信する。
【００２４】
無線チャネル品質ＲＣＱＴｖｅｃの送信と同様に、干渉レベルＮＬＴｖｅｃはフィードバックチャネルＦＣを介して、移動局Ｔ１〜Ｔ４から基地局ＢＳ１に送信される。
【００２５】
２つの図は一例として、副搬送波ＳＣ上にある、例えばチャネル転送機能ＣＴＦによって表される無線チャネル品質ＲＣＱＴｖｅｃと干渉レベルＮＬＴｖｅｃとを示す。
【００２６】
無線チャネル品質ＲＣＱＴｖｅｃは通常、例えば毎回または２回目ごとの送信時間間隔（ＴＴＩ）などの非常に短い繰り返し率で送信されるが、これに対して干渉レベルＮＬＴｖｅｃは、例えば１００回目ごとの送信時間間隔など、よりまばらな間隔で送信される。
【００２７】
基地局ＢＳ１にまで及ぶ第３プロセス工程において、無線チャネル品質ＲＣＱＴｖｅｃと干渉レベルＮＬＴｖｅｃとについての情報は、送信電力と副搬送波との選択のためのモジュールＴＳＳにおいて基地局ＢＳ１で分析される。分析に基づいて、副搬送波ＳＣは使用するために移動局Ｔ１〜Ｔ４に割り当てられる。
【００２８】
分析に基づくさらなる実施形態において、副搬送波ＳＣのセットが送信電力と副搬送波との選択のためのモジュールＴＳＳにおいて選択され、このセットは変更された送信電力Ｐで基地局ＢＳ１によって使用される。この送信電力Ｐの変更、すなわち減衰または増幅は、副搬送波ＳＣごとに個々に行われることが可能である。この送信電力のプロファイルは、記憶モジュールＴＰＰにおいて基地局ＢＳ１に記憶される。このプロファイルの曲線の例は、記憶モジュールＴＰＰの下の図において示されている。この図では、送信電力Ｐは副搬送波ＳＣの上に示されている。第３プロセス工程のより詳細な説明は、図３を参照して以下で述べられる。
【００２９】
移動局Ｔ１〜Ｔ４は、例えば送信電力と副搬送波との選択のためのモジュールＴＳＳにおけるチャネル転送機能ＣＴＦの分析によって得られた無線チャネル品質ＲＣＱＴｖｅｃに従って分類され、ここで無線チャネル品質ＲＣＱＴｖｅｃは好ましくは、移動局Ｔ１〜Ｔ４の各々について無線品質パラメータＲＣＱＴが存在するように、移動局Ｔ１〜Ｔ４の各々について平均される。代替として、無線チャネル品質ＲＣＱＴｖｅｃは、移動局Ｔ１〜Ｔ４ごとの無線品質パラメータＲＣＱＴに組み合わされ、加重されることも可能である。動作中および報告中の移動局Ｔ１〜Ｔ４の数は、無線品質パラメータＲＣＱＴに従ってグループに分割される。
【００３０】
グループの大きさは、例えばグループごとの移動局Ｔ１〜Ｔ４の最大数、または移動局Ｔ１〜Ｔ４の総数の割合によって判定されることが可能である。
【００３１】
図３は、無線品質パラメータＲＣＱＴに従う移動局Ｔ１〜Ｔ４の分類を示す。上の列は低い平均値の無線チャネル品質を有する、すなわち低い無線品質パラメータＲＣＱＴを有する移動局Ｔ１、Ｔ２の第１グループに関し、下の列は高い平均値の無線チャネル品質を有する、すなわち高い無線品質パラメータＲＣＱＴを有する移動局Ｔ３、Ｔ４の第２グループに関する。両方のグループについて、図において一例として、共通無線チャネル品質ＲＣＱＧｖｅｃの曲線が、移動局のそれぞれのグループについての副搬送波ＳＣ上に示されている。移動局のグループについての共通の無線チャネル品質ＲＣＱＧｖｅｃは、関連するグループの個々の移動局の無線チャネル品質ＲＣＱＴｖｅｃの加重組み合わせによって達成される。明快であるために、図３において説明される例は、移動端局Ｔ１〜Ｔ４を無線品質パラメータＲＣＱＴに従って２つのグループに分類することに限定されている。しかしながら、本発明の原理は任意の数のグループに拡大することが可能である。
【００３２】
しかしながら、個々の移動局Ｔ１〜Ｔ４の干渉レベルＮＬＴｖｅｃについての情報は、異なったやり方で分析される。はじめに基地局ＢＳ１自体によって引き起こされ、これに知られているセル内干渉は、その他の基地局ＢＳ２〜ＢＳ８によって引き起こされる純粋なセル間干渉を与えるために、報告された干渉レベルＮＬＴｖｅｃから差し引かれる。次いで、低い無線品質パラメータＲＣＱＴを有する第１グループの移動局Ｔ１、Ｔ２のセル間干渉のレベルは、共通干渉レベルＮＬＧｖｅｃに組み合わされ、組み合わせのうえで、個々の移動局Ｔ１、Ｔ２のセル間干渉のレベルは異なって加重されることが可能である。同様に、高い無線品質パラメータＲＣＱＴを有する第２グループの移動局Ｔ３、Ｔ４のセル間干渉のレベルは、共通干渉レベルＮＬＧｖｅｃに組み合わされ、ここでもまた組み合わせのうえで、個々の移動局Ｔ１、Ｔ２のセル間干渉のレベルは異なって加重されることが可能である。この干渉レベルＮＬＧｖｅｃは、両方のグループについて副搬送波ＳＣ上で、例として図３における図の中で示されている。
【００３３】
ここで第１グループの移動局Ｔ１、Ｔ２についての分析を考えると、特定の閾値Ｌ１を下回る共通干渉レベルＮＬＧｖｅｃを有する副搬送波ＳＣは、移動局Ｔ１、Ｔ２への送信のための好ましい副搬送波として基地局ＢＳ１によって選択される。この選択の理由は、基地局ＢＳ１から遠く離れた移動局Ｔ１、Ｔ２が通常は低い無線品質パラメータＲＣＱＴを有するということである。このような移動局Ｔ１、Ｔ２は任意の通信を達成するために、低い共通干渉レベルＮＬＧｖｅｃを有する副搬送波上で、基地局ＢＳ１によって対応されるべきである。
【００３４】
閾値Ｌ１を下回る共通干渉レベルＮＬＧｖｅｃを有する副搬送波ＳＣは、低減された送信電力を用いて、他の基地局ＢＳ１〜ＢＳ８によって使用される可能性が非常に高い。しかしながら、隣接するセルＣ２〜Ｃ８における高い、いわゆる経路損失すなわち伝搬損失などのその他の要素、または隣接するセルにおいて、これらの副搬送波ＳＣで何も送信されないという事実は、低い共通干渉レベルＮＬＧｖｅｃの原因となる。閾値Ｌ１と、それゆえ低い共通干渉レベルＮＬＧｖｅｃを有する副搬送波ＳＣの数とは、例えば低い共通干渉レベルＮＬＧｖｅｃを有する副搬送波ＳＣの定められた数また定められた割合を与えるために、選択されることが可能である。
【００３５】
有利な実施形態において、基地局ＢＳ１は、特定の時間間隔の間に低減された送信電力Ｐで使用するための好ましい副搬送波の特定の数を判定する。このために、第１グループの移動局Ｔ１、Ｔ２についての共通干渉レベルＮＬＧｖｅｃの分析を考えると、高い共通干渉レベルＮＬＧｖｅｃを有する副搬送波ＨＩＳＣ１が隣接するセルＣ２〜Ｃ８においておそらく使用され、セルＣ１内の低減された送信電力Ｐが隣接するセルＣ２〜Ｃ７における干渉を低減させるので、閾値Ｌ１を上回る共通干渉レベルＮＬＧｖｅｃを有する副搬送波ＨＩＳＣ１は、低減された送信電力Ｐを用いる送信のための好ましい副搬送波として選択される。
【００３６】
さらなる実施形態において、低減された送信電力Ｐを用いる送信のための好ましい副搬送波は、高い無線品質パラメータＲＣＱＴを有する第２グループの移動局Ｔ３、Ｔ４を使用して選択される。第２グループの移動局Ｔ３、Ｔ４によって使用されないことが望ましい副搬送波のみが、低減された送信電力Ｐを用いる送信のための好ましい副搬送波ＰＳＣとして選択される。
【００３７】
図３において、第２グループの移動局Ｔ３、Ｔ４についての共通干渉レベルＮＬＧｖｅｃの分析を考えると、第１グループの移動局Ｔ１、Ｔ２における方法と同様に、特定の閾値Ｌ２を下回る共通干渉レベルＮＬＧｖｅｃを有する副搬送波ＳＣは、移動局Ｔ３、Ｔ４への送信のための好ましい副搬送波として、基地局ＢＳ１によって選択される。しかしながら、閾値Ｌ２を上回る共通干渉レベルＮＬＧｖｅｃを有する副搬送波ＨＩＳＣ２は、第２グループの移動局Ｔ３、Ｔ４への送信のために使用されないことが好ましい。閾値Ｌ２と、それゆえ低い共通干渉レベルＮＬＧｖｅｃを有する副搬送波ＳＣの数とは、例えば低い共通干渉レベルＮＬＧｖｅｃを有する副搬送波ＳＣの定められた数または定められた割合を与えるために選択されることが可能である。
【００３８】
ここで、閾値Ｌ１を上回る共通干渉レベルＮＬＧｖｅｃを有する副搬送波ＨＩＳＣ１は、閾値Ｌ２を上回る共通干渉レベルＮＬＧｖｅｃを有する副搬送波ＨＩＳＣ２と比較され、副搬送波ＨＩＳＣ１の数量と副搬送波ＨＩＳＣ２の数量との両方に含まれる副搬送波のみが、低減された送信電力Ｐを用いる送信のための好ましい副搬送波ＰＳＣとして選択される。図３において、副搬送波ＨＩＳＣ１およびＨＩＳＣ２は両矢印によって特定され、実線によって区切られており、低減された送信電力Ｐを用いる送信のための好ましい副搬送波ＰＳＣもまた両矢印で特定されるが、これは点線で区切られている。
【００３９】
さらなる実施形態において、閾値Ｌ１を上回る共通干渉レベルＮＬＧｖｅｃを有する副搬送波ＨＩＳＣ１は、閾値Ｌ２を下回る共通干渉レベルＮＬＧｖｅｃを有する副搬送波と比較され、副搬送波ＨＩＳＣ１の数量にのみ含まれ、閾値Ｌ２を下回る共通干渉レベルＮＬＧｖｅｃを有する副搬送波の数量には含まれない副搬送波のみが、低減された送信電力Ｐを用いる送信のための好ましい副搬送波ＰＳＣとして選択される。
【００４０】
さらなる実施形態において、好ましい副搬送波ＰＳＣは、閾値Ｌ１を下回る共通干渉レベルＮＬＧｖｅｃを有する副搬送波ＳＣの数量に属さない副搬送波から無作為に、低減された送信電力Ｐを用いる送信のために選択される。
【００４１】
基地局ＢＳ１は、低減された送信電力Ｐを用いる送信のための好ましい副搬送波ＰＳＣから、低減された送信電力Ｐで使用されるいくつかの副搬送波を選択する。
【００４２】
１つの実施形態において、基地局ＢＳ１は送信電力Ｐで使用するために、好ましい副搬送波ＰＳＣから最も高い共通干渉レベルＮＬＧｖｅｃを有する副搬送波を選択する。
【００４３】
さらなる実施形態において、基地局ＢＳ１は低減された送信電力で使用するために、好ましい副搬送波ＰＳＣから最も低い共通無線チャネル品質ＲＣＱＧｖｅｃを有する副搬送波を選択する。
【００４４】
さらなる実施形態において、低減された送信電力Ｐを用いる送信のための複数の副搬送波は、データ処理量の最適化を考慮に入れて、好ましい副搬送波ＰＳＣから選択される。この場合、好ましい副搬送波ＰＳＣは、これらが提供できるデータ処理率に関して調べられる。その後、予想されるデータ処理率が最も低い好ましい副搬送波ＰＳＣは、低減された送信電力Ｐを用いる送信のために使用される。
【００４５】
干渉レベルＮＬＴｖｅｃの測定は、移動局Ｔ１〜Ｔ４が有効なデータを受信する副搬送波の上でのみ可能である。したがって、本発明による方法を最適化するためのさらなる実施形態において、制御モジュールＳＣＨは、移動局Ｔ１〜Ｔ４が干渉レベルＮＬＴｖｅｃの測定間隔の過程において有効なデータを少なくとも１回受信するように、移動局Ｔ１〜Ｔ４に副搬送波ＳＣを割り当てる。図３は、制御モジュールＳＣＨが副搬送波ＳＣに適用された送信電力のプロファイルを記憶モジュールＴＰＰから受信し、副搬送波ＳＣの移動局Ｔ１〜Ｔ４への割当のための制御信号を、送信電力と副搬送波との選択のためのモジュールＴＳＳに送る。
【００４６】
明快であるために、図４において、干渉および無線チャネル品質についての情報の処理の様々なレベルが示される。移動局ごとの分析に関連する第１レベルＳ１において、無線チャネル品質ＲＣＱＴｖｅｃは移動局Ｔ１〜Ｔ４のレベルで移動局ごとに測定される。図４は、副搬送波ＳＣ上の各移動局Ｔ１〜Ｔ４についての無線チャネル品質ＲＣＱＴｖｅｃを示す。
【００４７】
各移動局Ｔ１〜Ｔ４について、無線品質パラメータＲＣＱＴは対応する移動局Ｔ１〜Ｔ４の無線チャネル品質から判定される。
【００４８】
同様に、干渉レベルＮＬＴｖｅｃは移動局ごとに測定され、この値は移動局Ｔ１〜Ｔ４ごとに副搬送波ＳＣ上で示されている。
【００４９】
さらなる実施形態において、干渉パラメータＮＬＴは各移動局Ｔ１〜Ｔ４について、干渉レベルＮＬＴｖｅｃの加重平均から判定される。
【００５０】
移動局Ｔ１とＴ２とを有する１つのグループと、移動局Ｔ３とＴ４とを有する１つのグループとへの分割から第２レベルにおいて明らかなように、無線品質パラメータＲＣＱＴに従って移動局はグループに分割される。
【００５１】
移動局のグループ内の分析に関連する第２レベルＳ２において、共通無線チャネル品質ＲＣＱＧｖｅｃは各グループについて、関係するグループの個々の移動局の無線チャネル品質ＲＣＱＴｖｅｃの加重組み合わせから判定される。
【００５２】
同様に、共通干渉レベルＮＬＧｖｅｃは各グループについて、関係するグループの個々の移動局の干渉レベルＮＬＴｖｅｃの加重組み合わせから判定される。
【００５３】
共通無線チャネル品質ＲＣＱＧｖｅｃと共通干渉レベルＮＬＧｖｅｃとは、レベルＳ２において副搬送波ＳＣ上で示されている。
【００５４】
さらなる実施形態において、グループ無線品質パラメータＲＣＱＧは移動局の各グループについて、すべての副搬送波ＳＣの共通無線チャネル品質ＲＣＱＧｖｅｃの加重組み合わせから判定される。
【００５５】
同様に、グループ干渉パラメータＮＬＧは移動局の各グループについて、すべての副搬送波ＳＣの共通干渉レベルＮＬＧｖｅｃの加重組み合わせから判定される。
【００５６】
さらなる実施形態において、レベルＳ３からわかるように、最終的に全体的な無線品質パラメータＲＣＱＡは、すべてのグループにおけるすべての移動局Ｔ１〜Ｔ４について、すべてのグループのグループ無線品質パラメータＲＣＱＧの加重組み合わせから判定される。
【００５７】
同様に、全体的な干渉パラメータＮＬＡは、すべてのグループにおけるすべての移動局Ｔ１〜Ｔ４について、すべてのグループのグループ干渉パラメータＮＬＧの加重組み合わせから判定される。
【００５８】
さらなる実施形態において、グループ干渉パラメータＮＬＧまたは全体的な干渉パラメータＮＬＡは、閾値Ｌ１またはＬ２を確立するために使用される。
【図面の簡単な説明】
【００５９】
【図１】本発明が実施されることが可能なセルラー通信ネットワークの例を示す図である。
【図２】干渉レベルと無線チャネル品質とについての情報を移動局から基地局へ送信することによる、本発明による方法の実行を例として示す図である。
【図３】低減された電力で送信が行われる副搬送波の選択のための、本発明による方法の原理を例として示す図である。
【図４】干渉レベルと無線チャネル品質とについての情報の処理の様々なレベルを図表で示す図である。
【符号の説明】
【００６０】
Ｃ１、Ｃ２、Ｃ３、Ｃ４、Ｃ５、Ｃ６、Ｃ７、Ｃ８  セル
ＢＳ１、ＢＳ２、ＢＳ３、ＢＳ４、ＢＳ５、ＢＳ６、ＢＳ７、ＢＳ８  基地局
Ｔ１からＴ４  移動局
ＯＡ、ＩＡ  エリア
ＣＮ  通信ネットワーク
ＲＣＱＴｖｅｃ  無線チャネル品質
ＮＬＴｖｅｃ  干渉レベル
ＳＣ  副搬送波
ＣＴＦ  チャネル転送機能
ＦＣ  フィードバックチャネル
ＴＴＩ  送信時間間隔
ＴＳＳ  送信電力と副搬送波との選択のためのモジュール
Ｐ  送信電力
ＴＰＰ  記憶モジュール
ＲＣＱＴ  無線品質パラメータ
ＮＬＧｖｅｃ  共通干渉レベル
Ｌ１、Ｌ２  閾値
ＨＩＳＣ１  閾値Ｌ１を上回る共通干渉レベルＮＬＧｖｅｃを有する副搬送波
ＰＳＣ  低減された送信電力Ｐを用いる送信のための好ましい副搬送波
ＨＩＳＣ２  閾値Ｌ２を上回る共通干渉レベルＮＬＧｖｅｃを有する副搬送波
ＲＣＱＧｖｅｃ  共通無線チャネル品質
ＳＣＨ  制御モジュール
Ｓ１、Ｓ２、Ｓ３  レベル
ＲＣＱＧ  グループ無線品質パラメータ
ＮＬＧ  グループ干渉パラメータ
ＲＣＱＡ  全体的な無線品質パラメータ
ＮＬＡ  全体的な干渉パラメータ
【図１】
2007195175.tif 000003
【図２】
2007195175.tif 000004
【図３】
2007195175.tif 000005
【図４】
2007195175.tif 000006
【外国語明細書】
2007195175.tif 000007
2007195175.tif 000008
2007195175.tif 000009
2007195175.tif 000010
2007195175.tif 000011
2007195175.tif 000012
2007195175.tif 000013
2007195175.tif 000014
2007195175.tif 000015
2007195175.tif 000016
2007195175.tif 000017
2007195175.tif 000018
2007195175.tif 000019
2007195175.tif 000020
2007195175.tif 000021
2007195175.tif 000022
2007195175.tif 000023
2007195175.tif 000024
2007195175.tif 000025
2007195175.tif 000026
2007195175.tif 000027
2007195175.tif 000028
2007195175.tif 000029
2007195175.tif 000030
2007195175.tif 000031
2007195175.tif 000032
2007195175.tif 000033